(57)【特許請求の範囲】
【請求項１】
使用者が仰向けで乗った状態で使用され、使用者の上半身から大腿部までを乗せる寝台部（１１）と、該寝台部（１１）の後側に接続され、使用者の膝下の少なくとも一部を乗せる膝下支持部（１２）を備え、前記寝台部（１１）に乗った使用者の身体を伸長させる身体伸長器具（１０）において、
１）前記寝台部（１１）は、第１の水平軸（１８）とその下方に設けられた角度調整手段（１９）によって、回動可能に連結された前基台（１３ａ）と後基台（１３ｂ）とを有し、
２）前記前基台（１３ａ）の表側に、第１のスライド手段（２２）を介して使用者の背丈方向に摺動可能に設けられた上半身用床部（１４）を、前記後基台（１３ｂ）の表側に、第２のスライド手段（２５）を介して使用者の大腿部を乗せて前後に移動可能な大腿部用床部（１５）を有し、
３）前記後基台（１３ｂ）の後側下部には、直接又は該後側下部から突出する補助部材（３３）を介して第２の水平軸（２７）が設けられ、前記膝下支持部（１２）の基部材（２６）の前側途中位置で、前記第２の水平軸（２７）を介して、前記後基台（１３ｂ）が前記基部材（２６）に回動可能に連結され、
４）更に、前記大腿部用床部（１５）の後側と、前記基部材（２６）の前記第２の水平軸（２７）の取付け位置より前側位置にある部位は連結部材（３５）によって連結され、
５）前記基部材（２６）の後側上部には、前記基部材（２６）とは隙間を有して取外し可能な臑当て部材（２９）を有し、
前記臑当て部材（２９）の足操作による前記膝下支持部（１２）の回動に伴って、前記第２の水平軸（２７）を支点とするテコの原理により、前記大腿部用床部（１５）を前後に摺動させることが可能なことを特徴とする身体伸長器具。
【請求項２】
請求項１記載の身体伸長器具において、前記上半身用床部（１４）を前後に摺動させる上半身用床部摺動手段（３７）、及び前記上半身用床部（１４）の摺動を制御する摺動制御手段（３８）を備え、
前記上半身用床部摺動手段（３７）は、前記上半身用床部（１４）の裏側に配設された動滑車（３９）、第１のウェイト（４２）、及び定滑車（４０）を介して一端側（４１ａ）が前記前基台（１３ａ）と、他端側（４１ｂ）が前記第１のウェイト（４２）と連結しているロープ（４１）を有し、前記第１のウェイト（４２）の自重により前記上半身用床部（１４）を使用者の頭方向に摺動させることを特徴とする身体伸長器具。
【請求項３】
請求項１又は２記載の身体伸長器具において、前記膝下支持部（１２）は、後端側に動滑車（５２）を介して、取外し又は重さ調整可能に吊るされて配設された第２のウェイト（３１）を有することを特徴とする身体伸長器具。
【請求項４】
請求項１〜３のいずれか１項に記載の身体伸長器具において、前記連結部材（３５）はワイヤ、途中位置が屈曲可能なピン、チェーン又は紐であることを特徴とする身体伸長器具。
【請求項５】
請求項１〜４のいずれか１記載の身体伸長器具において、前記膝下支持部（１２）は左右に分割され、それぞれ独立に前記連結部材（３５）を介して前記大腿部用床部（１５）に連結されていることを特徴とする身体伸長器具。
【発明の詳細な説明】
【技術分野】
【０００１】
本発明は、使用者が仰向けで乗った状態で使用され、使用者の身体、特に腰部等を伸長させる器具に関する。
【背景技術】
【０００２】
治療を目的として、また単に健康の維持や増進を目的として、背骨、腰骨等を引き伸ばすことが行われており、ぶら下がり健康器具もそのための器具の一つである。しかし、ぶら下がり健康器具は、ぶら下がり自体が筋力の弱い人にとっては難しく、引き伸ばす力を調整することができない。また、モーター等の動力を用いて引き伸ばす器具もあるが、器具が複雑になり高価となるとともに、使用の際も電力を消費する。そこで、電力等を使用することなく身体を伸長させることができる各種器具が提案されている（特許文献１、特許文献２参照）。
【０００３】
特許文献１の器具は、上半身が乗る台に可動式アーム等を、下半身が乗る台に小型ベルトコンベアー等を取り付け、二つの台をストッパー付きフレームとバネとで連結した構造を有する。しかし、この器具は、使用者の腕と脚の両方の力で引き伸ばす必要があるため、力の弱い人等には使用が困難である。特許文献２の器具も、レバーハンドルの操作により背筋を伸ばすことができる構造となっているが、腕の力でレバーハンドルを操作して移動させるため、同様に力の弱い人等には使用が困難である。
【先行技術文献】
【特許文献】
【０００４】
【特許文献１】実用新案登録第３１２１８０３号公報
【特許文献２】特開２０００−１１６６８８号公報
【発明の概要】
【発明が解決しようとする課題】
【０００５】
本発明はかかる事情に鑑みてなされたもので、使用者が大きな力をかけることなく身体を引き伸ばすことが可能な身体伸長器具を提供することを目的とする。
【課題を解決するための手段】
【０００６】
前記目的に沿う本発明に係る身体伸長器具は、使用者が仰向けで乗った状態で使用され、使用者の上半身から大腿部までを乗せる寝台部（１１）と、該寝台部（１１）の後側に接続され、使用者の膝下の少なくとも一部を乗せる膝下支持部（１２）を備え、前記寝台部（１１）に乗った使用者の身体を伸長させる身体伸長器具（１０）において、
１）前記寝台部（１１）は、第１の水平軸（１８）とその下方に設けられた角度調整手段（１９）によって、回動可能に連結された前基台（１３ａ）と後基台（１３ｂ）とを有し、
２）前記前基台（１３ａ）の表側に、第１のスライド手段（２２）を介して使用者の背丈方向に摺動可能に設けられた上半身用床部（１４）を、前記後基台（１３ｂ）の表側に、第２のスライド手段（２５）を介して使用者の大腿部を乗せて前後に移動可能な大腿部用床部（１５）を有し、
３）前記後基台（１３ｂ）の後側下部には、直接又は該後側下部から突出する補助部材（３３）を介して第２の水平軸（２７）が設けられ、前記膝下支持部（１２）の基部材（２６）の前側途中位置で、前記第２の水平軸（２７）を介して、前記後基台（１３ｂ）が前記基部材（２６）に回動可能に連結され、
４）更に、前記大腿部用床部（１５）の後側と、前記基部材（２６）の前記第２の水平軸（２７）の取付け位置より前側位置にある部位は連結部材（３５）によって連結され、
５）前記基部材（２６）の後側上部には、前記基部材（２６）とは隙間を有して取外し可能な臑当て部材（２９）を有し、
前記臑当て部材（２９）の足操作による前記膝下支持部（１２）の回動に伴って、前記第２の水平軸（２７）を支点とするテコの原理により、前記大腿部用床部（１５）を前後に摺動させることが可能となる。
【０００７】
本発明に係る身体伸長器具において、前記上半身用床部（１４）を前後に摺動させる上半身用床部摺動手段（３７）、及び前記上半身用床部（１４）の摺動を制御する摺動制御手段（３８）を備え、
前記上半身用床部摺動手段（３７）は、前記上半身用床部（１４）の裏側に配設された動滑車（３９）、第１のウェイト（４２）、及び定滑車（４０）を介して一端側（４１ａ）が前記前基台（１３ａ）と、他端側（４１ｂ）が前記第１のウェイト（４２）と連結しているロープ（４１）を有し、前記第１のウェイト（４２）の自重により前記上半身用床部（１４）を使用者の頭方向に摺動させるのが好ましい。
【０００８】
本発明に係る身体伸長器具において、前記膝下支持部（１２）は、後端側に動滑車（５２）を介して、取外し又は重さ調整可能に吊るされて配設された第２のウェイト（３１）を有するのが好ましい。
【０００９】
本発明に係る身体伸長器具において、前記連結部材（３５）はワイヤ、途中位置が屈曲可能なピン、チェーン又は紐であってもよい。
【００１０】
そして、本発明に係る身体伸長器具において、前記膝下支持部（１２）は左右に分割され、それぞれ独立に前記連結部材（３５）を介して前記大腿部用床部（１５）に連結されているのが好ましい。
【発明の効果】
【００１１】
本発明に係る身体伸長器具は、膝下支持部の回動に伴って大腿部用床部を摺動させるため、腕の力と比較して大きい足の折り曲げる力により、又は膝下支持部の自重により膝下支持部を回動させることで、大腿部用床部を使用者の足先方向に摺動させることができる。従って、使用者が大きな力をかけることなく身体を引き伸ばすことができる。
【００１２】
本発明に係る身体伸長器具において、第１のウェイトの自重により上半身用床部を使用者の頭方向に摺動させる構造となっている場合、大腿部用床部の足先方向への摺動に加え、上半身用床部を頭方向に摺動させることができ、使用者が大きな力をかけることなくより効果的に身体を引き伸ばすことができる。
【００１３】
本発明に係る身体伸長器具において、膝下支持部が、後端側に動滑車を介して配設された第２のウェイトを有する場合、膝下支持部の後端側が自重により下がりやすくなる、即ち膝下支持部が力を加えることなく回動しやすくなるため、より力を使うことなく身体を引き伸ばすことができる。また、後端側に設けた第２のウェイトの重さを変えることで、負荷を調整することができる。なお、第２のウェイトを動滑車を介して左右の基部材に取付けることによって、左右均等に第２のウェイトの荷重がかかる。
【００１４】
本発明に係る身体伸長器具において、大腿部用床部の後側と、基部材の第２の水平軸より前側位置にある部位がワイヤ、途中位置が屈曲可能なピン、チェーン又は紐によって連結されている場合、製造コストを抑えることができる。更には、ワイヤ又はピン等の一端が膝下支持部における第２の水平軸よりも前端側の部位に接続されている場合、第２の水平軸を支点としたテコの原理により、弱い力で大腿部用床部を摺動させることができる。また、膝が位置する場所より下方に第２の水平軸を設け、膝から第２の水平軸までの長さに対して、第２の水平軸から膝下支持部の後端までの長さを長くすることで、テコの原理が効果的に働く。
【００１５】
本発明に係る身体伸長器具において、膝下支持部が左右に分割され、それぞれ独立に連結部材を介して大腿部用床部に連結されている場合には、使用の際、左右の臑当て部材を使用者が左右の臑で各々持ち上げることができ、身体的に左右の大腿部の長さ、太さ等が微妙に異なる場合も、大腿部用床部の摺動を容易に行うことができる。
【図面の簡単な説明】
【００１６】
【図１】本発明の一実施の形態に係る身体伸長器具を示す部分（頭側）側面図である。
【図２】同身体伸長器具を示す部分（足側）側面図である。
【図３】同身体伸長器具を示す部分（頭側）底面図である。
【図４】同身体伸長器具を示す部分（足側）底面図である。
【発明を実施するための形態】
【００１７】
続いて、添付した図面を参照しながら本発明を具体化した実施の形態について説明する。
図１〜図４に示すように、本発明の一実施の形態に係る身体伸長器具１０は、使用者（図示しない）が仰向けで乗った状態で使用され、寝台部１１及び膝下支持部１２を備え、寝台部１１に乗った使用者の身体を伸長させるものである。なお、図１〜図４においては、見易さのため一部記載を省略したものがある。例えば、側面図である図１の第１のウェイト４２は、対応する底面図である図３においては記載を省略している。また、使用者が寝台部１１上に仰向けに寝た状態で、使用者の頭側を「前側」、使用者の足側を「後側」とする。
【００１８】
寝台部１１は、使用者の上半身から大腿部までを乗せる台であり、図１における左側が頭を乗せる側となる。寝台部１１は、第１の水平軸１８とその下方に設けられた角度調整手段１９によって回動可能に連結された前基台１３ａと後基台１３ｂとからなる基台１３、上半身用床部１４及び大腿部用床部１５を有する。
【００１９】
基台１３は、鉄等の金属製であってもよいし、その他プラスチック製等であってもよい。前基台１３ａ、後基台１３ｂはそれぞれ前脚部１６、後脚部１７を有している。前脚部１６及び後脚部１７はそれぞれ長さ調節可能に構成されている。前基台１３ａと後基台１３ｂは、第１の水平軸１８により、所定角度範囲内で頭側と足側との間で屈曲（角度調整）可能に連結されている。この角度調整は、ねじ構造を有する角度調整手段１９により行うことができる。角度調整においては、併せて前脚部１６や後脚部１７の長さ調節が行われてもよい。
【００２０】
上半身用床部１４は、前基台１３ａの表側に設けられており、使用者の上半身（頭から背中あたりまで）を直接乗せる部分となる。上半身用床部１４は、略水平に配置されているが、傾斜させて使用してもよい。上半身用床部１４は、平板材２０と、平板材２０の表面に重ねて設けられた滑り止め材２１とを有している。平板材２０の裏面側と、寝台部１１の前基台１３ａの表側との間には、第１のスライド手段の一例である第１のスライドレール２２が設けられている。この第１のスライドレール２２により、上半身用床部１４は、使用者の背丈方向（図１等における左右方向）に摺動可能となっている。
【００２１】
平板材２０の材質としては、木材、合成樹脂、金属等特に限定されない。滑り止め材２１は、略平板状であるが、足側が隆起した構造となっている。この隆起は使用者の背骨に沿った形状としたものであり、このような形状とすることにより、上半身用床部１４を頭側に摺動させた際に、使用者の上半身が滑ることなく引き伸ばされやすくなる。滑り止め材２１としては、特に限定されないがクッション性を有しているものを好適に用いることができる。具体的には、例えばスポンジ、織布、不織布などを用いることができ、スポンジが好ましい。また、滑り止め材の材質としては、特に限定されないが、防滑性に優れるゴムが好ましく、ＥＰＤＭ（エチレン−プロピレン−ジエンゴム）がより好ましい。
【００２２】
大腿部用床部１５は、後基台１３ｂの表面に設けられており、使用者の大腿部を直接乗せる部分となる。大腿部用床部１５は、足先側が高くなるように傾斜して配置されているが、例えば水平等にして使用することもできる。なお、使用の際は、通常、使用者の臀部も大腿部用床部１５に乗ることとなる。大腿部用床部１５は、平板材２３と、平板材２３の表面に重ねて設けられた滑り止め材２４とを有している。平板材２３の裏面側と、寝台部１１の後基台１３ｂの表側との間には、第２のスライドレール（第２のスライド手段の一例）２５が設けられている。この第２のスライドレール２５により、大腿部用床部１５は、使用者の背丈方向（前後）に摺動可能となっている。なお、このような構造となっているため、上半身用床部１４と大腿部用床部１５とは独立して背丈方向にそれぞれ摺動可能である。平板材２３及び滑り止め材２４の材質は、それぞれ平板材２０及び滑り止め材２１と同様である。滑り止め材２４は平板状である。
【００２３】
膝下支持部１２は、寝台部１１の後側に接続され、使用者の膝下の少なくとも一部を乗せる部分である。膝下支持部１２は、寝台部１１との接続部位に設けられた第２の水平軸２７を中心に、使用者の膝下の運動にあわせて回動可能に構成されている。膝下支持部１２は、具体的には、基部材２６、第２の水平軸２７、ふくらはぎ支持部材２８、臑当て部材２９、保持部材３０、第２のウェイト３１を有している。なお、臑当て部材２９は保持部材３０に取外し可能に設けられている。臑当て部材２９を取り外して、使用者のふくらはぎから下の足の自重によって基部材２６を回動することができる。
【００２４】
基部材２６（即ち、膝下支持部１２）は、右足と左足とを別々に動かせるように、平面視にて左右２つに分割されている。なお、基部材は、左右（左足用及び右足用）が一体となっていてもよい。また、基部材２６の材質としては、木材、その他プラスチック等であってもよい。
左右の基部材２６の前側途中位置の裏側に４つの取付け金具２７ａが第２の水平軸２７に回動可能に設けられており、左右の基部材２６はそれぞれ第２の水平軸２７を介して寝台部１１の後基台１３ｂの後側下部と連結している。具体的には、図２、図４に示されるように、後基台１３ｂの後側下部は、この後側下部（裏面）に設けられた角パイプ３２に差し込まれた角パイプ（補助部材の一例）３３を介して、第２の水平軸２７に固定されている。ねじ３４の操作により、体の大きさによって、膝下支持部１２の位置調整（角パイプ３３の突出長さの調整）が可能に構成されている。なお、後基台１３ｂの後側下部から突出する補助部材を設けず、後基台１３ｂの後側下部が直接、第２の水平軸と回動可能又は固定して連結するようにしてもよい。
また、後基台の後側下部を、直接又は補助部材を介して膝下支持部の基部材の前側途中位置に設けられた第２の水平軸に回動可能に連結してもよい。
【００２５】
ふくらはぎ支持部材２８は、分割されたそれぞれの基部材２６の前端側（寝台部１１側）の表面側に、右足用及び左足用としてそれぞれ配設されている。ふくらはぎ支持部材２８はふくらはぎが固定され易いように湾曲し、弾性部材４７（例えばスプリング）を介して、高さ方向、前後方向及び斜め方向にクッション性を有するように設けられている。ふくらはぎ支持部材２８の表面は、使用者のふくらはぎの形状にあわせて湾曲した形状となっている。また、必要に応じて、ふくらはぎ支持部材の表面に滑り止め部材を設けることも可能である。
【００２６】
臑当て部材２９は、分割されたそれぞれの基部材２６の後側上部に、基部材２６と離間して、右足用及び左足用としてそれぞれ配設されている。臑当て部材２９は、スポンジ等によりクッション性を有する円柱状に形成されており、使用の際の違和感を低減させている。また、臑当て部材２９は、使用者の足の長さや好みに応じて背丈方向（使用者の足の長さ方向：図２における矢印方向）に位置調整可能に設けられている。これにより、背丈方向に動かせば、テコの原理で大腿部用床部１５を連動させる力を変えることもできる。保持部材３０は、分割されたそれぞれの基部材２６の後端側の表側に配設され、臑当て部材２９を保持している。
【００２７】
第２のウェイト３１は、基部材２６の後端側から動滑車５２を介して吊るされるように設けられている。第２のウェイト３１は取り外して重さ調整可能に設けられている。動滑車５２は、左右の基部材２６のそれぞれに連結しているため、基部材２６の左右をバラバラに動かしても、均等に力がかかる。
なお、膝下支持部１２は、取付け金具２７ａに取付けられた第２の水平軸２７に基部が固定された支持部材３６の先部に回動可能に設けられたストッパー５３が基部材２６のストッパー受け５４に掛止し、基部材２６が図２に２点鎖線で示す上位置ｐに固定される。一方、膝下支持部１２は、基部材２６が略水平になる程度まで上方に回動させる（後端側を上げる）ことができる。
【００２８】
大腿部用床部１５の後側と基部材２６の第２の水平軸２７の取付け位置より前側位置にある部位は、連結部材の一例である左右のワイヤ３５によって連結されている。即ち、ワイヤ３５の一端は、大腿部用床部１５の後端部の裏面に繋がれ、ワイヤ３５の他端は、左右両側にある膝下支持部１２の基部材２６における第２の水平軸２７の配設部位よりも更に前端側の部位に繋がれている。このため、臑当て部材２９の足操作により、膝下支持部１２の後端側が下方向に移動するように第２の水平軸２７を中心に回動した場合、ワイヤ３５により大腿部用床部１５が引っ張られ、大腿部用床部１５は足先方向に摺動する。この際、膝下支持部１２は、第２の水平軸２７を支点、後端側を力点、前端側のワイヤ３５との接続箇所を作用点とするテコを構成しており、この時使用者の下半身自体もふくらはぎ支持部材２８との接点部分が支点、膝関節自体が力点、作用点となり、大腿部自体が足先へ引っ張られることで、効率的に大腿部用床部１５が後側へ摺動される。ここで、臑当て部材２９の片側のみを上方向に作動すると、これに連結された一方の基部材２６が傾動する。この場合、作動させた側のワイヤ３５が屈曲するので、他方の臑当て部材２９の動きには関係がない。
【００２９】
また、他の例として、大腿部用床部１５の後端部の裏面に設けられた左右のワイヤ接続箇所５５は中心に孔があいており、ワイヤ３５はその孔に通され、かつ抜けないようにロックし、ワイヤ３５が移動する範囲で左右の膝下支持部１２を上下に自由に回動させることを可能にする。なお、膝下支持部１２（基部材２６及び臑当て部材２９）は左右に分割されているので、それぞれ独立してワイヤ３５を介して、大腿部用床部１５に連結されることになる。また、連結部材として、ワイヤの代わりに途中位置が屈曲可能な例えば、ピン、チェーン、紐を使用してもよい。
【００３０】
身体伸長器具１０は、上半身用床部１４を前後に摺動させる上半身用床部摺動手段３７、及び上半身用床部１４の摺動を制御する摺動制御手段３８を備えている。
【００３１】
上半身用床部摺動手段３７は、動滑車３９、定滑車４０、ロープ４１及び第１のウェイト４２を有している。動滑車３９は二車であり、上半身用床部１４の裏面の幅方向において略中央かつ背丈方向において中央よりやや足先側に固定されている。定滑車４０は二車であり、寝台部１１の前基台１３ａの幅方向において略中央かつ背丈方向において中央より頭側に固定されている。ロープ４１は、一端側４１ａが前基台１３ａと連結し、動滑車３９及び定滑車４０を介して他端側４１ｂが第１のウェイト４２と連結している。ロープ４１の一端側４１ａの前基台１３ａとの連結箇所は、幅方向において略中央かつ背丈方向において頭側としている。第１のウェイト４２は、定滑車４０の配設箇所の下方に吊り下げられている。第１のウェイト４２は、重量変更可能に構成されている。なお、第１のウェイト４２は、フレーム４８に囲まれた状態で配置されている。
【００３２】
上記構成の上半身用床部摺動手段３７によれば、第１のウェイト４２の自重により、上半身用床部１４を使用者の頭方向に摺動させることができる。なお、このように二車の動滑車３９及び定滑車４０を用いているため、第１のウェイト４２の重量の４倍の力（一定）で上半身用床部１４を摺動させることができる。なお、上半身用床部摺動手段が有する動滑車及び定滑車の数はこの実施の形態に限定されず、例えば複数の動滑車を配置させてもよい。
【００３３】
摺動制御手段３８は、上半身用床部１４の裏面に背丈方向に配設されたチェーンラック４３、チェーンラック４３と対になり、前基台１３ａに回転可能に固定されたスプロケット（円形歯車）４４、スプロケット４４の回転のロック及びその解除を行うレバーハンドル４５を有している。レバーハンドル４５は、スプリング５１により保持（固定）されている。レバーハンドル４５の操作によりスプロケット４４のロックを解除すると、第１のウェイト４２の重さにより上半身用床部１４は頭側に摺動する。なお、チェーンラック４３とスプロケット４４との代わりに、ラックとピニオンとを用いてもよい。また、摺動制御手段３８は、上半身用床部１４が複数箇所で止まるように構成することもできる。身体伸長器具１０には、一端側が前基台１３ａに接続され、他端側が一端側の接続箇所よりも頭側の上半身用床部１４に接続された左右一対のスプリング４６が設けられている。スプリング４６の各他端は、上半身用床部１４の裏側に設けられた係止部４９に連結されている。このスプリング４６により、レバーハンドル４５の操作によってロックを解除した際に上半身用床部１４が勢いよく頭側に移動しすぎることを防ぐことができる。また、前基台１３ａにはストッパー５０が設けられている。上半身用床部１４が頭側に移動したとき、上半身用床部１４の係止部４９がストッパー５０にあたり、上半身用床部１４が止まる。これにより、ロープ４１の緩みをとめることができる。
【００３４】
次に、身体伸長器具１０の使用方法について説明する。使用者は、図１における左側を頭側、右側を足側として寝台部１１に仰向けに寝る。この際、使用者の臀部は大腿部用床部１５における上半身用床部１４側に位置するように寝ることとなる。また、使用者の膝下は膝下支持部１２に乗せることとなり、ふくらはぎをふくらはぎ支持部材２８に乗せ、臑（使用者の背丈等に応じて足首又は足の甲）を臑当て部材２９の下に通すこととなる。なお、使用にあたっては、第１のウェイト４２が吊り上げられた状態で上半身用床部１４はロックされる。また、使用者は、例えば膝下支持部１２の後端側を足でやや持ち上げるようにして仰向けに寝ることで、大腿部用床部１５の摺動が効果的に行われる。
【００３５】
次いで、使用者が仰向けで乗った状態で、第２のウェイト３１の重さ、ふくらはぎ支持部材２８より後端の膝下支持部１２の自重及びふくらはぎ支持部材２８以下の身体の自重により、膝下支持部１２が、その後端側が下がる方向に回動する。この回動に伴って、ワイヤ３５が大腿部用床部１５を足先方向に引っ張り、また、膝関節自体も足先方向に引っ張られ、大腿部用床部１５を後側に摺動させる。一方、レバーハンドル４５を操作して、ロックを解除することで第１のウェイト４２の落下により上半身用床部１４が頭方向に引っ張られ、摺動される。レバーハンドル４５の操作によりロックを解除し、頭方向に引く力と、足先方向に引く力のバランスが取れたら、頭方向及び足先方向にも動かないので、レバーハンドル４５を動かし、即ち、ロックを解除して中立させて全身の力を抜く。
【００３６】
もし、バランスがとれない場合は、例えば寝台部１１側の第１のウェイト４２と膝下支持部１２側の第２のウェイト３１とで調整を行う。このような状態においては、使用者の頭方向及び足先方向双方に引っ張られた状態であるため、腰部を中心として身体が引き伸ばされる。なお、ストッパー５３を起こして、膝下支持部１２をロックして、上半身用床部１４を動かして伸長することも可能である。このとき、膝下支持部１２の裏側に設けられたストッパー受け５４に、ストッパー５３が引っかかって固定される。
上半身用床部１４は前基台１３ａに固定することも可能であるが、本実施の形態のように、前基台１３ａにスライド可能とすることで、上半身の伸長運動をすることができる。また、上半身用床部１４をスライドする機構に、滑車を使用しない他の構造で摺動させてもよい
【００３７】
本発明は前記した実施の形態に限定されるものではなく、本発明の要旨を変更しない範囲でその構成を変更することもできる。なお、寝台部等の左右に手すりが設けられていてもよい。更に、ストッパーで膝下支持部を固定して、上半身用床部のみを作動させて使用させてもよいし、上半身用床部を固定して、膝下支持部を作動させて使用することもできる。
また、必要に応じて、ふくらはぎ支持部材の表面に滑り止め部材（例えば、ゴムシート）を設けることも可能である。
更に、左右の基部材を滑車を介したワイヤ等で連結し、連動させるようにしてもよい。
【符号の説明】
【００３８】
１０：身体伸長器具、１１：寝台部、１２：膝下支持部、１３：基台、１３ａ：前基台、１３ｂ：後基台、１４：上半身用床部、１５：大腿部用床部、１６：前脚部、１７：後脚部、１８：第１の水平軸、１９：角度調整手段、２０：平板材、２１：滑り止め材、２２：第１のスライドレール、２３：平板材、２４：滑り止め材、２５：第２のスライドレール、２６：基部材、２７：第２の水平軸、２７ａ：取付け金具、２８：ふくらはぎ支持部材、２９：臑当て部材、３０：保持部材、３１：第２のウェイト、３２、３３：角パイプ、３４：ねじ、３５：ワイヤ、３６：支持部材、３７：上半身用床部摺動手段、３８：摺動制御手段、３９：動滑車、４０：定滑車、４１：ロープ、４１ａ：一端側、４１ｂ：他端側、４２：第１のウェイト、４３：チェーンラック、４４：スプロケット、４５：レバーハンドル、４６：スプリング、４７：弾性部材、４８：フレーム、４９：係止部、５０：ストッパー、５１：スプリング、５２：動滑車、５３：ストッパー、５４：ストッパー受け、５５：ワイヤ接続箇所
【図１】
0006396181.tif 000002
【図２】
0006396181.tif 000003
【図３】
0006396181.tif 000004
【図４】
0006396181.tif 000005